(57)【特許請求の範囲】
【請求項１】
矩形状の開口を有する上階床と、
外側桁が前記開口の周縁の２辺に沿い、前記開口の周縁における前記外側桁が沿わない２辺のうちの１辺の一部に降り口が接続されたＬ字形状の階段と、
平面視で前記開口内における前記階段が設けられていない領域において、前記開口の周縁における前記外側桁が沿わない２辺から前記階段の内側桁に向けて片持ち状に設けられると共に、前記上階床と同一の床高さの内部片持ち床と、を備え、
前記内部片持ち床は、
前記開口の周縁における前記外側桁が沿わない２辺のうちの一方の第一辺に沿って配置された第一床梁と、
前記開口の周縁における前記外側桁が沿わない２辺のうちの他方の第二辺に沿って配置された第二床梁と、
基端部が前記第一床梁に支持されると共に先端部が前記開口内に延び、当該先端部が前記第一床梁及び前記第二床梁に接合された梁支持部によって支持された第一鼻先梁と、
基端部が前記第二床梁に支持されると共に先端部が前記開口内に延び、当該先端部が前記梁支持部によって支持された第二鼻先梁と、
によって支持され、
前記梁支持部は、
基端部が前記第一床梁及び前記第二床梁の少なくともいずれかに接合されると共に、先端部が前記第一鼻先梁の先端部及び前記第二鼻先梁の先端部に接合された片持ち部材と、
前記片持ち部材の延在方向に対して直交するように配置されると共に、一端が前記第一床梁に接合され他端が前記片持ち部材の中間部に剛接合された第一仲介部材と、
前記片持ち部材の延在方向に対して直交するように配置されると共に、一端が前記第二床梁に接合され他端が前記片持ち部材の中間部に剛接合された第二仲介部材と、
を備える、建物の階段部構造。
【請求項２】
前記片持ち部材の先端部は、前記第一鼻先梁の先端部に設けられたエンドプレートと前記第二鼻先梁の先端部に設けられたエンドプレートとによって挟み込まれ、
前記片持ち部材の先端部、前記第一鼻先梁の先端部及び前記第二鼻先梁の先端部は、２つの前記エンドプレートを貫通するように差し込まれたボルトを用いてボルト接合されている、請求項１に記載の建物の階段部構造。
【請求項３】
前記第一仲介部材における前記第一床梁に接合される側の端部は水平方向に対して起立した板状であると共に、前記第一床梁の延在方向に対して直交し、
前記第二仲介部材における前記第二床梁に接合される側の端部は水平方向に対して起立した板状であると共に、前記第二床梁の延在方向に対して直交する、請求項１又は２に記載の建物の階段部構造。
【請求項４】
前記階段は、自立式であり、前記開口の周縁に沿って配置された床梁とは縁が切られている、請求項１〜３のいずれか一項に記載の建物の階段部構造。
【発明の詳細な説明】
【技術分野】
【０００１】
本発明は、建物の階段部構造に関する。
【背景技術】
【０００２】
従来、昇降の途中で昇降方向が９０度屈曲する平面視でＬ字状の階段がある（例えば特許文献１参照）。このような階段を建物に設置する場合、屈曲する外側桁の２辺の長さに対応する辺長を有する矩形状の開口を上階床に形成し、屈曲する外側桁の２辺が平面視において開口の２辺に沿うように階段を設置することが一般的である。
【先行技術文献】
【特許文献】
【０００３】
【特許文献１】特開２００４−１８３２４６号公報
【発明の概要】
【発明が解決しようとする課題】
【０００４】
上階床に矩形状の開口を設けて階段を設置する構成であるため、階段のＬ字状の内側部分には階段が存在しないにも関わらず上階床が開口しており、上階の室内空間を有効に利用しにくかった。
【０００５】
そこで、本発明は、空間の有効利用が可能な建物の階段部構造を提供することを目的とする。
【課題を解決するための手段】
【０００６】
本発明に係る建物の階段部構造は、矩形状の開口を有する上階床と、外側桁が開口の周縁の２辺に沿い、開口の周縁における外側桁が沿わない２辺のうちの１辺の一部に降り口が接続されたＬ字形状の階段と、平面視で開口内における階段が設けられていない領域において、開口の周縁における外側桁が沿わない２辺から階段の内側桁に向けて片持ち状に設けられると共に、上階床と同一の床高さの内部片持ち床と、を備える。
【０００７】
この建物の階段部構造のように、開口内の階段が設けられていない領域に内部片持ち床を設けることで、上階の空間の有効利用が可能となる。また、内部片持ち床を片持ち状に設けることで、内部片持ち床を支持する梁が階段の昇降を妨げることが無い。内部片持ち床を支持する柱が不要であるため、上階の下方に設けられた下階の空間も有効利用が可能となる。
【０００８】
内部片持ち床は、開口の周縁における外側桁が沿わない２辺のうちの一方の第一辺に沿って配置された第一床梁と、開口の周縁における外側桁が沿わない２辺のうちの他方の第二辺に沿って配置された第二床梁と、基端部が第一床梁に支持されると共に先端部が開口内に延び、当該先端部が第一床梁及び第二床梁に接合された梁支持部によって支持された第一鼻先梁と、基端部が第二床梁に支持されると共に先端部が開口内に延び、当該先端部が梁支持部によって支持された第二鼻先梁と、によって支持され、梁支持部は、基端部が第一床梁及び第二床梁の少なくともいずれかに接合されると共に、先端部が第一鼻先梁の先端部及び第二鼻先梁の先端部に接合された片持ち部材と、片持ち部材の延在方向に対して直交するように配置されると共に、一端が第一床梁に接合され他端が片持ち梁の中間部に剛接合された第一仲介部材と、片持ち部材の延在方向に対して直交するように配置されると共に、一端が第二床梁に接合され他端が片持ち梁の中間部に剛接合された第二仲介部材と、を備えていてもよい。
【０００９】
このように、第一鼻先梁及び第二鼻先梁が梁支持部によって支持されることにより、内部片持ち床の強度を向上させることができる。また、片持ち部材と、第一仲介部材及び第二仲介部材とは剛接合されている。すなわち、片持ち部材の中間部から基端部の部位は、第一鼻先梁及び第二鼻先梁を支持する先端部側に対して控え梁として機能する。言い換えると、片持ち部材の中間部から基端部の部位は、片持ち部材の先端部が下方に下がることを抑制している。このように、内部片持ち床を強固に支持する架構を、内部片持ち床が設けられている領域内に梁支持部を設けることで実現できる。従って、内部片持ち床以外の領域に、内部片持ち床を強固に支持するための控え梁等を設ける必要が無く、シンプルな架構を実現できる。
【００１０】
片持ち部材の先端部は、第一鼻先梁の先端部に設けられたエンドプレートと第二鼻先梁の先端部に設けられたエンドプレートとによって挟み込まれ、片持ち梁の先端部、第一鼻先梁の先端部及び第二鼻先梁の先端部は、２つのエンドプレートを貫通するように差し込まれたボルトを用いてボルト接合されていてもよい。この場合、梁支持部、第一鼻先梁及び第二鼻先梁を、第一床梁及び第二床梁にそれぞれ個別に順次取り付けた後、梁支持部、第一鼻先梁及び第二鼻先梁をボルト接合することができる。このように、第一床梁及び第二床梁に各部材を順次取り付けることができるため、例えば第一鼻先梁と第二鼻先梁とが予め組み付けられた状態で、梁支持部、第一床梁及び第二床梁に、第一鼻先梁及び第二鼻先梁を取り付けるよりも、取り付けの作業性が良い。
【００１１】
第一仲介部材における第一床梁に接合される側の端部は水平方向に対して起立した板状であると共に、第一床梁の延在方向に対して直交し、第二仲介部材における第二床梁に接合される側の端部は水平方向に対して起立した板状であると共に、第二床梁の延在方向に対して直交していてもよい。この場合には、下階において、上階床と内部片持ち床との境界に沿って（開口の周縁の床梁の直下に）間仕切壁等を設けるときに、間仕切壁を構成する面材と、第一仲介部材における第一床梁に接合される側の端部及び第二仲介部材における第二床梁に接合される側の端部との干渉を抑制できる。特に、この構成は、アパートや二世帯住宅の戸界に用いる界壁として、開口の周縁の床梁の両面を石膏ボード等で覆う必要がある場合に有効である。
【００１２】
階段は、自立式であり、開口の周縁に沿って配置された床梁とは縁が切られていてもよい。この場合には、階段の降り口（昇りきった位置）の直下に間仕切壁を設けるときに、間仕切壁を構成する面材が階段に干渉することを抑制できる。特に、この構成は、アパートや二世帯住宅の戸界に用いる界壁として、開口の周縁の床梁の両面を石膏ボード等で覆う必要がある場合に有効である。
【発明の効果】
【００１３】
本発明によれば、空間の有効利用が可能な建物の階段部構造を提供することができる。
【図面の簡単な説明】
【００１４】
【図１】実施形態に係る建物の２階における階段周りの平面図である。
【図２】建物の２階における階段周りの架構を示す平面図である。
【図３】階段の構造を示す斜視図である。
【図４】鼻先梁と梁支持部との取り付け構造を示す分解図である。
【図５】東側梁の両側面に石膏ボードを取り付けた様子を示す平面図である。
【図６】図５におけるＶＩ‐ＶＩ線に沿った断面図である。
【図７】梁支持部の変形例を示す図である。
【発明を実施するための形態】
【００１５】
以下、本発明に係る建物の階段部構造の実施形態について図面を参照しながら説明する。なお、図面の説明において同一の要素には同一の符号を付し、重複する説明を省略する。
【００１６】
図１に示す建物Ｘは、基礎から立ち上がる複数本の柱と、隣り合う柱間に架設される複数本の梁とによって構成された、例えば鉄骨造の建物である。建物Ｘは、少なくとも上階と、上階の一つ下層の下階とを有している。本実施形態において建物Ｘは、２階建ての建物とする。本実施形態では、各部の配置説明を容易にするため、図１の方位記号が示す通り、上方向を北側として説明する。他の図においても、方位記号を用いて配置構成を説明する。
【００１７】
図１〜図３に示すように、建物Ｘは、１階と２階との間を昇降するための階段１を備えている。階段１は、平面視で、昇降方向が直角に屈曲したＬ字形状の階段である。階段１は、外側桁１１、内側桁１２、複数の踏板１３、複数の支柱１４を備えている。外側桁１１及び内側桁１２は、建物Ｘの１階床から２階床（上階床）Ｆ１に架け渡されている。外側桁１１及び内側桁１２は、平面視でＬ字形状に屈曲している。踏板１３の両端部は、外側桁１１及び内側桁１２によってそれぞれ支持されている。支柱１４は、鉛直方向に沿って延在している。支柱１４は、外側桁１１及び内側桁１２を支持している。階段１は、支柱１４によって外側桁１１、内側桁１２及び踏板１３が支持された自立式の階段である。
【００１８】
建物Ｘの２階床Ｆ１には、矩形状の開口Ｒが設けられている。ここで、開口Ｒの周縁を構成する４つの辺を、北側辺Ｌ１、西側辺Ｌ２、南側辺（第一辺）Ｌ３及び東側辺（第二辺）Ｌ４という。北側辺Ｌ１は開口Ｒの北側の辺であり、西側辺Ｌ２は開口Ｒの西側の辺である。南側辺Ｌ３は開口Ｒの南側の辺であり、東側辺Ｌ４は開口Ｒの東側の辺である。
【００１９】
開口Ｒの周縁には、北側辺Ｌ１に沿って北側梁Ｈ１が配置され、西側辺Ｌ２に沿って西側梁Ｈ２が配置されている。また、開口Ｒの周縁には、南側辺Ｌ３に沿って南側梁（第一床梁）Ｈ３が配置され、東側辺Ｌ４に沿って東側梁（第二床梁）Ｈ４が配置されている。すなわち、開口Ｒは、北側梁Ｈ１、西側梁Ｈ２、南側梁Ｈ３及び東側梁Ｈ４によって囲まれている。本実施形態では、北側梁Ｈ１、西側梁Ｈ２、南側梁Ｈ３及び東側梁Ｈ４として、一例としてＨ形鋼を用いている。
【００２０】
階段１は、平面視において外側桁１１が北側辺Ｌ１及び西側辺Ｌ２に沿うように配置されている。階段１の降り口１ａは、東側辺Ｌ４の一部分、具体的には東側辺Ｌ４の北側部分に接続されている。すなわち、南側辺Ｌ３及び東側辺Ｌ４は、階段１の外側桁１１が沿わない辺となる。また、平面視において、開口Ｒの南東の角部の領域は、階段１が設けられていない領域となる。
【００２１】
開口Ｒ内における階段１が設けられていない南東の領域には、内部片持ち床Ｆ２が設けられている。内部片持ち床Ｆ２は、２階床Ｆ１と同一の床高さとなっている。内部片持ち床Ｆ２は、平面視において、南側辺Ｌ３及び東側辺Ｌ４から階段１の内側桁１２に向けて延び、南側梁Ｈ３及び東側梁Ｈ４によって片持ち状に支持されている。内部片持ち床Ｆ２は、平面視において矩形状となっている。平面視において開口Ｒ内は、階段１と内部片持ち床Ｆ２とによって埋められている。
【００２２】
図２〜図４に示すように、内部片持ち床Ｆ２は、南側梁Ｈ３、東側梁Ｈ４、第一鼻先梁ＨＢ１、第二鼻先梁ＨＢ２によって支持されている。第一鼻先梁ＨＢ１及び第二鼻先梁ＨＢ２は、梁支持部２によって支持されている。第一鼻先梁ＨＢ１、第二鼻先梁ＨＢ２、及び梁支持部２は、平面視において、開口Ｒ内における階段１が設けられていない領域に配置されている。
【００２３】
第一鼻先梁ＨＢ１は、南北方向に沿って延びている。第一鼻先梁ＨＢ１の基端部は、南側梁Ｈ３に支持されている。第一鼻先梁ＨＢ１の先端部は、開口Ｒ内に延びると共に梁支持部２に支持されている。第二鼻先梁ＨＢ２は、東西方向に沿って延びている。第二鼻先梁ＨＢ２の基端部は、東側梁Ｈ４に支持されている。第二鼻先梁ＨＢ２の先端部は、開口Ｒ内に延びると共に梁支持部２に支持されている。
【００２４】
梁支持部２の基端部は、南側梁Ｈ３及び東側梁Ｈ４によって支持されている。梁支持部２の先端部は、開口Ｒ内に延びて第一鼻先梁ＨＢ１及び第二鼻先梁ＨＢ２の先端部を支持している。梁支持部２は、片持ち部材２０、第一仲介部材３０、第二仲介部材４０、及び基端支持プレート５０を備えている。
【００２５】
片持ち部材２０は、平面視において、開口Ｒの南東の角部（南側梁Ｈ３と東側梁Ｈ４との接続部分）から階段１の内側桁１２の屈曲部分に向けて延びている。片持ち部材２０の基端部（後述する基端部プレート２３）は、南側梁Ｈ３及び東側梁Ｈ４の少なくともいずれかに接合されている。本実施形態において片持ち部材２０の基端部は、基端支持プレート５０を介して南側梁Ｈ３及び東側梁Ｈ４に接合されている。片持ち部材２０の先端部は、第一鼻先梁ＨＢ１及び第二鼻先梁ＨＢ２の先端部に接合されている。
【００２６】
第一仲介部材３０は、平面視において、片持ち部材２０に直交するように配置されている。第一仲介部材３０の一端は、基端支持プレート５０を介して南側梁Ｈ３に接合されている。第一仲介部材３０の他端は、片持ち部材２０の中間部に剛接合されている。第一仲介部材３０として、例えば角形鋼管を用いてもよい。
【００２７】
第二仲介部材４０は、平面視において、片持ち部材２０に直交するように配置されている。第一仲介部材３０及び第二仲介部材４０は、互いに同じ直線上に配置されている。第二仲介部材４０の一端は、基端支持プレート５０を介して東側梁Ｈ４に接合されている。第二仲介部材４０の他端は、片持ち部材２０の中間部に剛接合されている。第二仲介部材４０として、例えば角形鋼管を用いてもよい。
【００２８】
なお、第一仲介部材３０及び第二仲介部材４０が接続される片持ち部材２０の中間部とは、片持ち部材２０の長手方向の中央位置に限定されず、中央位置から所定長さずれた位置を含む。
【００２９】
基端支持プレート５０は、南側梁Ｈ３と東側梁Ｈ４とに沿うように、略Ｌ字状に折り曲げられている。基端支持プレート５０は、南側梁Ｈ３と東側梁Ｈ４とに接合されている。具体的には、図２に示すように基端支持プレート５０は、南側梁Ｈ３のウェブＨ３ａ及び東側梁Ｈ４のウェブＨ４ａに接合されている。基端支持プレート５０の中間部（屈曲部分）は、片持ち部材２０の基端部に接合されている。基端支持プレート５０の両端部は、それぞれ、第一仲介部材３０の一端及び第二仲介部材４０の一端に接合されている。
【００３０】
次に、片持ち部材２０と、第一鼻先梁ＨＢ１及び第二鼻先梁ＨＢ２との接合構造について説明する。図４に示すように、第一鼻先梁ＨＢ１の先端部には、エンドプレートＥ１が設けられている。第一鼻先梁ＨＢ１のエンドプレートＥ１は、平面視において、第一鼻先梁ＨＢ１の延在方向に対して傾斜（一例として４５°）している。言い換えると、エンドプレートＥ１の面（先端部プレート２２に当接される面）に垂直な直線と第一鼻先梁ＨＢ１の延在方向とが傾斜している。
【００３１】
第二鼻先梁ＨＢ２の先端部には、エンドプレートＥ２が設けられている。第二鼻先梁ＨＢ２のエンドプレートＥ２は、平面視において、第二鼻先梁ＨＢ２の延在方向に対して傾斜（一例として４５°）している。言い換えると、エンドプレートＥ２の面（先端部プレート２２に当接される面）に垂直な線と第二鼻先梁ＨＢ２の延在方向とが傾斜している。
【００３２】
片持ち部材２０は、本体部２１、先端部プレート２２、及び基端部プレート２３を備えている。本体部２１には、第一仲介部材３０の他端及び第二仲介部材４０の他端がそれぞれ剛接合されている。本体部２１の先端部には、先端部プレート２２が接合されている。本体部２１の基端部には、基端部プレート２３が接合されている。本体部２１として、例えば角形鋼管を用いてもよい。
【００３３】
先端部プレート２２は、板状の部材であり、水平方向に対して起立している。なお、板状の部材が起立した状態とは、板状の部材の表面及び裏面が水平方向を向くように配置されている状態をいう。先端部プレート２２は、平面視において、本体部２１の延在方向に沿って延びている。基端部プレート２３は、板状の部材であり、水平方向に対して起立している。基端部プレート２３は、平面視において本体部２１の延在方向に沿って延びている。基端部プレート２３は、本体部２１及び基端支持プレート５０に接合されている。先端部プレート２２及び基端部プレート２３として、例えば板状の鋼材を用いてもよい。
【００３４】
片持ち部材２０の先端部プレート２２は、第一鼻先梁ＨＢ１のエンドプレートＥ１と第二鼻先梁ＨＢ２のエンドプレートＥ２とによって挟み込まれている。先端部プレート２２、エンドプレートＥ１及びエンドプレートＥ２は、エンドプレートＥ１とエンドプレートＥ２との間を貫通するように差し込まれたボルト６１と、ボルト６１に取り付けられるナット６２とによってボルト接合されている。
【００３５】
図２及び図４に示すように、第一仲介部材３０の一端（南側梁Ｈ３に接合される側の端部）には、接合プレート３１が取り付けられている。接合プレート３１は、板状の部材であり、水平方向に対して起立している。接合プレート３１は、南側梁Ｈ３の延在方向に対して直交している。言い換えると、接合プレート３１は、平面視において、南側梁Ｈ３から北側に向かって、南側梁Ｈ３の延在方向に対して垂直に延びている。すなわち、第一仲介部材３０における南側梁Ｈ３に接合される側の端部は、水平方向に対して起立した板状であると共に、南側梁Ｈ３の延在方向に対して直交している。
【００３６】
本実施形態において、接合プレート３１は、基端支持プレート５０における南側梁Ｈ３に沿って配置される第一部分５０ａに接合されている。接合プレート３１と第一部分５０ａとの接合部分には、接合部分を補強する補強プレート３２が取り付けられている。
【００３７】
第二仲介部材４０の一端（東側梁Ｈ４に接合される側の端部）には、接合プレート４１が取り付けられている。接合プレート４１は、板状の部材であり、水平方向に対して起立している。接合プレート４１は、東側梁Ｈ４の延在方向に対して直交している。言い換えると、接合プレート４１は、平面視において、東側梁Ｈ４から西側に向かって、東側梁Ｈ４の延在方向に対して垂直に延びている。すなわち、第二仲介部材４０における東側梁Ｈ４に接合される側の端部は、水平方向に対して起立した板状であると共に、東側梁Ｈ４の延在方向に対して直交している。
【００３８】
本実施形態において、接合プレート４１は、基端支持プレート５０における東側梁Ｈ４に沿って配置される第二部分５０ｂに接合されている。接合プレート４１と第二部分５０ｂとの接合部分には、接合部分を補強する補強プレート４２が取り付けられている。
【００３９】
図２及び図３等に示すように、階段１は自立式であり、開口Ｒの周縁に配置された北側梁Ｈ１、西側梁Ｈ２、南側梁Ｈ３及び東側梁Ｈ４とは縁が切れている。具体的には階段１の降り口１ａ部分において、東側梁Ｈ４の西側（階段１側）の側面と階段１との間には水平方向において隙間Ｓ（図３参照）が設けられている。なお、階段１の降り口１ａ部分は、階段１と東側梁Ｈ４との隙間Ｓを埋めるために、東側梁Ｈ４の上面まで延びている。
【００４０】
本実施形態は以上のように構成され、この建物Ｘの階段部構造は、平面視において、開口Ｒ内における階段１が設けられていない領域に内部片持ち床Ｆ２を備えているので、２階の空間の有効利用が可能となる。また、内部片持ち床Ｆ２を片持ち状に設けることで、内部片持ち床Ｆ２を支持する梁が階段１の昇降を妨げることが無い。また、内部片持ち床Ｆ２を支持する柱が不要であるため、１階の空間も有効利用が可能となる。
【００４１】
内部片持ち床Ｆ２は、第一鼻先梁ＨＢ１、及び第二鼻先梁ＨＢ２によって支持されている。第一鼻先梁ＨＢ１の先端部及び第二鼻先梁ＨＢ２の先端部は、梁支持部２によって支持されている。このように、第一鼻先梁ＨＢ１及び第二鼻先梁ＨＢ２が梁支持部２によって支持されているので、内部片持ち床Ｆ２の強度を向上させることができる。
【００４２】
また、梁支持部２において、片持ち部材２０と、第一仲介部材３０及び第二仲介部材４０とは剛接合されている。すなわち、片持ち部材２０の中間部から基端部の部位（第一仲介部材３０及び第二仲介部材４０が接続された部分から基端部プレート２３と基端支持プレート５０との接続部分までの部位）は、第一鼻先梁ＨＢ１及び第二鼻先梁ＨＢ２を支持する先端部側に対して控え梁として機能する。言い換えると、片持ち部材２０の中間部から基端部の部位は、片持ち部材２０の先端部が下方に下がることを抑制している。このように、内部片持ち床Ｆ２を強固に支持する架構を、内部片持ち床Ｆ２が設けられている領域内に梁支持部２を設けることで実現できる。従って、内部片持ち床Ｆ２以外の領域に、内部片持ち床Ｆ２を強固に支持するための控え梁等を設ける必要が無く、シンプルな架構を実現できる。
【００４３】
片持ち部材２０の先端部プレート２２は、第一鼻先梁ＨＢ１のエンドプレートＥ１と第二鼻先梁ＨＢ２のエンドプレートＥ２とによって挟み込まれて、第一鼻先梁ＨＢ１及び第二鼻先梁ＨＢ２にボルト接合される。この場合、梁支持部２、第一鼻先梁ＨＢ１及び第二鼻先梁ＨＢ２を、南側梁Ｈ３及び東側梁Ｈ４にそれぞれ個別に順次取り付けた後、梁支持部２、第一鼻先梁ＨＢ１及び第二鼻先梁ＨＢ２をボルト接合することができる。このように、南側梁Ｈ３及び東側梁Ｈ４に各部材を順次取り付けることができるため、例えば第一鼻先梁ＨＢ１と第二鼻先梁ＨＢ２とが予め組み付けられた状態で、梁支持部２、南側梁Ｈ３及び東側梁Ｈ４に、第一鼻先梁ＨＢ１及び第二鼻先梁ＨＢ２を取り付けるよりも、取り付けの作業性が良い。
【００４４】
第一仲介部材３０の接合プレート３１は、水平方向に対して起立し、南側梁Ｈ３に対して直交している。第二仲介部材４０の接合プレート４１は、水平方向に対して起立し、東側梁Ｈ４に対して直交している。例えば、建物Ｘの１階において、２階床Ｆ１と内部片持ち床Ｆ２との境界に沿って（南側梁Ｈ３及び／又は東側梁Ｈ４の直下に）間仕切壁を設けることがある。東側梁Ｈ４の直下に間仕切壁を設ける場合、具体的には、図５及び図６に示すように、例えば東側梁Ｈ４の両側面（東西の面）を石膏ボード７１等の面材によって挟み込む。このように石膏ボード７１等の面材を設ける場合であっても、石膏ボード７１等の面材に縦方向の切り込み等を設けるだけで、石膏ボード７１等の面材と接合プレート３１及び接合プレート４１との干渉を容易に抑制できる。特に、この構成は、アパートや二世帯住宅の戸界に用いる界壁として、開口Ｒの周縁の床梁の両面を石膏ボード７１等で覆う必要がある場合に有効である。
【００４５】
また、片持ち部材２０の基端部プレート２３についても、水平方向に対して起立しているため、石膏ボード７１等の面材に縦方向の切り込み等を設けるだけで、面材と基端部プレート２３との干渉を容易に抑制できる。
【００４６】
階段１は、自立式であり、開口Ｒの周縁に沿って配置された東側梁Ｈ４とは縁が切られている。この場合には、階段１の降り口１ａの直下に間仕切壁を設けるときに、間仕切壁を構成する石膏ボード７１等の面材が階段１に干渉することを抑制できる。具体的には、図３に示すように、東側梁Ｈ４の階段１側の側面と階段１との隙間Ｓに、石膏ボード７１等の面材を配置することができる。特に、この構成は、アパートや二世帯住宅の戸界に用いる界壁として、開口Ｒの周縁の床梁の両面を石膏ボード７１等で覆う必要がある場合に有効である。
【００４７】
以上、本発明の実施形態について説明したが、本発明は、上記実施形態に限定されるものではない。例えば、梁支持部２の接合プレート３１及び接合プレート４１は、基端支持プレート５０を介さずに、直接、それぞれ南側梁Ｈ３及び東側梁Ｈ４に接合されていてもよい。また、梁支持部２の基端部プレート２３は、基端支持プレート５０を介さずに、直接、南側梁Ｈ３及び東側梁Ｈ４の少なくともいずれかに接合されていてもよい。
【００４８】
梁支持部２の構成は、上述した構成以外の構成であってもよい。例えば、図７に示す梁支持部２Ａのように、基端支持プレート５０Ａの長さが短く、基端支持プレート５０Ａが補強プレート３２Ａ及び補強プレート４２Ａを介してそれぞれ接合プレート３１及び接合プレート４１に接続されていてもよい。
【符号の説明】
【００４９】
１…階段、２…梁支持部、１１…外側桁、１２…内側桁、２０…片持ち部材、３０…第一仲介部材、４０…第二仲介部材、６１…ボルト、Ｅ１，Ｅ２…エンドプレート、Ｆ１…２階床、Ｆ２…内部片持ち床、Ｈ３…南側梁（第一床梁）、Ｈ４…東側梁（第二床梁）、ＨＢ１…第一鼻先梁、ＨＢ２…第二鼻先梁、Ｌ１…北側辺（外側桁が沿う辺）、Ｌ２…西側辺（外側桁が沿う辺）、Ｌ３…南側辺（外側桁が沿わない辺）、Ｌ４…東側辺（外側桁が沿わない辺）、Ｒ…開口、Ｘ…建物。
【図１】
0006543491.tif 000002
【図２】
0006543491.tif 000003
【図３】
0006543491.tif 000004
【図４】
0006543491.tif 000005
【図５】
0006543491.tif 000006
【図６】
0006543491.tif 000007
【図７】
0006543491.tif 000008